(57)【要約】  方法及び装置は、シフトレジスタによって生成される第１の擬似雑音系列を用いてインパルス無線信号のパルスのバーストの極性を変調し、且つシフトレジスタによって生成される第２の擬似雑音系列を用いてパルスのバーストの位置を変調する。
2009523359.tif 000002
【特許請求の範囲】
【請求項１】
インパルス無線信号を変調する方法であって、
シフトレジスタによって生成される第１の擬似雑音系列を用いてインパルス無線信号のパルスのバーストの極性を変調することと、
前記シフトレジスタによって生成される第２の擬似雑音系列を用いて前記パルスのバーストの位置を変調することと
を含む、方法。
【請求項２】
前記インパルス無線信号は、超広帯域幅信号である、請求項１に記載の方法。
【請求項３】
前記変調は、パルス位置変調及び位相シフトキーイングによる変調の両方を用いる、請求項１に記載の方法。
【請求項４】
前記極性を変調すること及び前記位置を変調することは、動的に変化する、請求項１に記載の方法。
【請求項５】
前記第２の擬似雑音系列の長さは、変調フォーマットパラメータに従って動的に変化する、請求項１に記載の方法。
【請求項６】
前記フォーマットパラメータは、平均パルス繰り返し周波数である、請求項５に記載の方法。
【請求項７】
前記フォーマットパラメータは、変調波形内で利用可能な、可能なホッピング位置の個数である、請求項６に記載の方法。
【請求項８】
シンボル持続時間と、チップ持続時間と、バースト毎のパルスの個数と、パルス位置変調の次数とは、前記可能なホッピング位置の個数を規定する、請求項７に記載の方法。
【請求項９】
前記チップ持続時間はＴcであり、バースト毎のパルスの個数はＮburstであり、前記パルスのバーストの持続時間は、
Ｔburst＝Ｎburst＊Ｔc
である、請求項８に記載の方法。
【請求項１０】
シンボルレートＴsym及び前記バースト毎のパルスの個数Ｎburstについての前記平均パルス繰り返し周波数は、
ＰＲＦ＝Ｎburst／Ｔsym
である、請求項９に記載の方法。
【請求項１１】
シンボルを前記パルスのバーストとして符号化することをさらに含む、請求項１に記載の方法。
【請求項１２】
前記符号化は、順方向誤り訂正を用いる、請求項１１に記載の方法。
【請求項１３】
前記極性の変調及び前記位置の変調は、動的に変化する変調フォーマットに依存する、請求項１に記載の方法。
【請求項１４】
前記シフトレジスタは、
一連の遅延素子と、
第１のタップのセットと、
第２のタップのセットと
を含む線形フィードバックシフトレジスタであり、
前記方法は、
前記第１の擬似雑音系列を前記第１のタップのセットから生成すること、及び
前記第２の擬似雑音系列を前記第２のタップのセットから生成すること
をさらに含む、請求項１に記載の方法。
【請求項１５】
前記第１のタップのセットの出力は加算され、前記シフトレジスタの入力にフィードバックされる、請求項１４に記載の方法。
【請求項１６】
前記第２の擬似雑音系列を求めるために、前記第２のタップのセットの出力が整数に変換される、請求項１５に記載の方法。
【請求項１７】
前記シフトレジスタの状態の整数表現は、
ｈ＝ｓj＋ｓj-1２1＋ｓj-2２2＋ｓj-3２3＋…＋ｓj-N２N
であり、式中、ｓjは各タップＮにおける状態を表す、請求項１６に記載の方法。
【請求項１８】
インパルス無線信号を変調する装置であって、
前記装置はシフトレジスタを備え、
前記シフトレジスタは、
前記シフトレジスタによって生成される第１の擬似雑音系列を用いてインパルス無線信号のパルスのバーストの極性を変調すると共に、
前記シフトレジスタによって生成される第２の擬似雑音系列を用いて前記パルスのバーストの位置を変調するように構成される
装置。
【請求項１９】
前記極性を変調すること及び前記位置を変調することは動的に変化する、請求項１８に記載の装置。
【請求項２０】
前記第２の擬似雑音系列の長さは、変調フォーマットパラメータに従って動的に変化する、請求項１８に記載の装置。
【請求項２１】
前記極性の変調及び前記位置の変調は、動的に変化する変調フォーマットに依存する、請求項１８に記載の装置。
【請求項２２】
前記シフトレジスタは、
一連の遅延素子と、
第１のタップのセットと、
第２のタップのセットと
を含む線形フィードバックシフトレジスタであり、
前記第１の擬似雑音系列は前記第１のタップのセットから生成され、
前記第２の擬似雑音系列は前記第２のタップのセットから生成される、
請求項１８に記載の装置。
【請求項２３】
前記第１のタップのセットの出力は加算され、前記シフトレジスタの入力にフィードバックされる、請求項２２に記載の装置。
【請求項２４】
前記第２の擬似雑音系列を求めるために、前記第２のタップのセットの出力が整数に変換される、請求項２３に記載の装置。
【請求項２５】
前記シフトレジスタの状態の整数表現は、
ｈ＝ｓj＋ｓj-1２1＋ｓj-2２2＋ｓj-3２3＋…＋ｓj-N２N
であり、式中、ｓjは各タップＮにおける状態を表す、請求項２２に記載の装置。
【発明の詳細な説明】
【技術分野】
【０００１】
［発明の分野］
本発明は、包括的には拡散スペクトル無線通信システムに関し、より詳細には、コヒーレント超広帯域受信機及び非コヒーレント超広帯域受信機の両方によって信号が受信されることを可能にする無線通信システムにおいて用いられる変調フォーマットに関する。
【０００２】
［発明の背景］
合衆国では、超広帯域幅（ＵＷＢ）信号を、無線通信システムのために、条件付きで無免許で使用することが連邦通信委員会（ＦＣＣ）によって許可されている（「First Report and Order」、February 14, 2002)。このＵＷＢ信号は、３．１ＧＨｚ〜１０．６ＧＨｚの周波数範囲内にあり、５００ＭＨｚの最小帯域幅を有するものでなければならない。ＦＣＣの指令によれば、ＵＷＢ信号の電力スペクトル密度及びピーク放射電力は、たとえば−４３．１ｄＢｍ／ＭＨｚ未満に制限されている。
【０００３】
ＵＷＢのための１つの変調方法は、極めて短い時間のパルスを用いて、５００ＭＨｚよりも広い帯域幅を有する信号を生成する。たとえば、約６００ｍｍの波長に対応する、１秒の１，０００，０００，０００分の１以下のパルスが用いられる。短いパルスを使用するシステムは一般的にインパルス無線（ＩＲ）システムと呼ばれる。
【０００４】
図１に示されるように、４つの異なる変調フォーマット、すなわちパルス位置変調（ＰＰＭ）１１、パルス振幅変調（ＰＡＭ）１２、オン−オフキーイング（ＯＯＫ）１３及び２位相シフトキーイング（ＢＰＳＫ）１４を無線通信システムに用いることができる。
【０００５】
１つの利点として、ＵＷＢシステムは、高いデータ転送速度を達成し、大きな処理利得に起因してマルチパス劣化に耐性がある。さらに、ＩＲベースのＵＷＢ技術によって、ヘテロダインのための局部発振器を必要としない、低コスト、低デューティサイクル、低電力の送受信機を実現できるようになる。ＵＷＢ送受信機は主にデジタル回路であるので、それらの送受信機は半導体回路の中に容易に組み込むことができる。ＵＷＢシステムでは、複数のユーザが、互いに干渉を引き起こすことなく、同じスペクトルを同時に共用することができる。ＵＷＢシステムは、高速のホームネットワーキングデバイス及びビジネスネットワーキングデバイス、並びにセンサネットワークにとって理想的である。
【０００６】
時間ホッピングインパルス無線（ＴＨ−ＩＲ）システムは、M. Win他著「Ultra-Wide Band Width Time-Hopping Spread-Spectrum Impulse Radio for Wireless Multiple-Access Communications」（IEEE Trans. On Communications, Vol. 48, No. 4, pp. 679-691, April 2000）に記載されている。ＴＨ−ＩＲシステムでは、それぞれのビットすなわちシンボルがＮf個のパルスによって表される。ただし、Ｎfは正の整数である。そのシンボルを送信するのにかかる時間はＴsである。これは、シンボル持続時間と呼ばれる。シンボル時間ＴsはさらにフレームＴfに分割され、フレームは、通常はパルス持続時間に対応するチップＴcに分割される。Ｎcが１フレーム内のチップの個数を表し、Ｎfが１シンボル内のフレームの個数を表すものとすると、Ｔs、Ｔf及びＴcは、以下のように関係付けられる。
【０００７】
Ｔs＝ＮfＴf＝ＮfＮcＴc
（１）
【０００８】
図２は、一例の従来技術のＴＨ−ＩＲの、「０」ビットの場合の波形２１０及び「１」ビットの場合の波形２２０の、パルス２０４のシンボル時間Ｔs２０１、フレーム時間Ｔf２０２及びチップ時間ｔc２０３間の関係を示す。通常は、それらのパルスは、「時間ホッピング」系列に従って、１フレーム内で利用可能なチップ間で擬似ランダムに間隔を置いて配置され、マルチユーザ干渉の影響を最小限に抑える。
【０００９】
上述したように、変調は、２位相シフトキーイング(binary phase shift keying)とすることができる。ＢＰＳＫの場合、各ビットｂは、正又は負のパルスのいずれかとして表され、すなわちｂ∈｛−１，１｝である。送信される信号ｓは時間ｔにおいて以下の形を有する。
【００１０】
【数１】
2009523359.tif 000003
【００１１】
式中、ｃjは、範囲｛０，１，．．．，Ｎc−１｝内にあるＴＨ符号のｊ番目の値を表し、ｂはｉ番目の変調シンボルである。さらに、ｈi,jとして表される任意選択の極性スクランブル系列（polarity scrambling sequence）を送信される信号内の各パルスに適用して、送信信号のスペクトルを整形すると共にスペクトル線を低減することができる。極性スクランブル系列ｈi,jは、＋１又は−１いずれかの値を有する。送信信号のスペクトルの整形のためには、異なる振幅を用いることができる。
【００１２】
上述の変調方法に加えて、位相及び位置の変調、たとえばＢＰＳＫ及びバイナリＰＰＭを組み合わせて、コヒーレント受信機及び非コヒーレント受信機の両方に適した変調フォーマットを生成することができる。これは、シンボル持続時間Ｔsを２つ以上の部分に分割して位置変調を可能にすると共に、さらに送信されているビットに従って個々のパルスの極性が変化し得るようにすること、たとえばＢＰＳＫによって達成される。これは、実際にはＩＥＥＥＰ８０２．１５の無線パーソナルエリアネットワーク（ＷＰＡＮ）のワーキンググループのタスクグループによって記載されている変調技法であり、本明細書に参照により援用される「Addendum PART 15.4: Wireless Medium Access Control (MAC) and Physical Layer (PHY) Specifications for Low-Rate Wireless Personal Area Networks (LR-WPANs)」（Internet Draft, Document Number 15-05-0733-01-004a）に記載されている。
【００１３】
［発明の概要］
方法及び装置は、シフトレジスタの第１のタップ(tap)によって生成される第１の擬似雑音系列を用いてインパルス無線信号のパルスのバーストの極性を変調すると共に、シフトレジスタの第２のタップによって生成される第２の擬似雑音系列を用いてパルスのバーストの位置を変調する。
【００１４】
［好ましい実施形態の詳細な説明］
本発明の一実施形態は、超広帯域幅（ＵＷＢ）インパルス無線（ＩＲ）送信機において極性スクランブル系列及び時間ホッピング系列の両方を生成するシステム及び方法を提供する。送信機は、パルス位置変調（ＰＰＭ）と位相シフトキーイング（ＰＳＫ）による変調との両方を用いて入力データを変調する。１つの利点として、系列の全てが単一の擬似雑音（ＰＮ）系列生成器によって生成される。
【００１５】
さらに、時間ホッピング系列の長さは、変調フォーマットパラメータに応じて動的に変更することができる。たとえば、平均パルス繰り返し周波数（ＰＲＦ）、及び変調波形内で利用可能な、可能なホッピング位置の個数（たとえば４又は１６）に応じて動的に変更することができる。
【００１６】
図３は、変調シンボルの構造及びタイミングを示す。各シンボル３００は、整数の個数ＮCのチップを含む。各チップは、持続時間Ｔc３０４を有する。全シンボル持続時間は、Ｔsym３０１によって示される。Ｔsym３０１は、Ｔc×Ｎcと等価である。さらに、各シンボル持続時間は、複数の部分、たとえば２つの半分の部分３０３に分割される。この場合、各部分は持続時間
ＴPPM＝Ｔsym／２
を有し、当該持続時間はバイナリ位置変調を可能にする。
【００１７】
複数の連続チップが共にグループ化されて、パルスのバースト３１０が形成される。パルスバースト３１０の持続時間３０２は、Ｔburstと示される。バーストの位置は、シンボル持続時間の第１の半分の部分又は第２の部分のいずれかにおいて、１ビットの情報、たとえば論理０又は論理１を示す。
【００１８】
さらに、パルスバーストの位相は、情報の２番目のビットを示すことができるか、又は図２に示されるように、同一のビットの情報がＰＰＭ位置及びバーストの位相の両方において符号化される。図３の上側の波形は、「０」ビットが送信されていることを示し、一方、下側の波形は、「１」ビットが送信されていることを示す。各シンボル持続時間中に、単一のバーストが送信される。
【００１９】
パルスのバーストの持続時間が、通常はＰＰＭ持続時間よりも大幅に短い、すなわちＴburst＜＜ＴPPMであることによって、この形の時間ホッピングにおけるマルチユーザ干渉の影響が最小限に抑えられる。
【００２０】
各シンボル持続時間中の、パルスバーストのための可能な位置又はスロットの個数は、Ｎslotによって示され、ＴPPM／Ｔburstと等価である。バースト位置３０５は、時間ホッピング系列に従ってシンボル毎に変化することができる。さらに、可能なバースト位置は、１〜Ｎslotからのインデックスである。
【００２１】
本発明の実施形態によって記載される時間ホッピングの概念と、従来技術による式（２）の時間ホッピングとを対比することが重要である。式２においては、フレーム内の個々のパルス位置が、時間ホッピング系列によって制御される。本発明の実施形態による変調では、時間ホッピング系列によって制御されるのは、ＰＰＭ持続時間内におけるパルスのバースト全体の位置である。便宜上、個々のパルスベースの時間ホッピングという従来の概念と、本発明による時間ホッピングとを区別するために、本発明による時間ホッピングを「パルスバーストホッピング」と称する。
【００２２】
ｋ番目の変調シンボルは、以下の式を用いて表すことができる。
【００２３】
【数２】
2009523359.tif 000004
【００２４】
式（３）においては、ｘ(k)（ｔ）はｋ番目のシンボルの波形であり、ｇ0及びｇ1は符号化されたビットのマッピングから得られる変調シンボルであり、ｓj｛ｊ＝０，１，…，Ｎburst−１｝は極性スクランブル系列であり、可能な値｛−１又は１｝を取り、ｐ（ｔ）は送信パルス波形であり、ＴPPMはバイナリパルス位置変調時間スロットの持続時間である。時間ホッピング系列ｈ(k)は、マルチユーザ干渉を最小限に抑え、極性スクランブル系列ｓjは、コヒーレント受信機のために付加的な干渉抑制を提供し、さらに送信されるＵＷＢ波形のスペクトル平滑化を提供する。
【００２５】
ＵＷＢ−ＩＲシステムを設計するときに、変調波形の幾つかの主要パラメータは、平均パルス繰り返し周波数（ＰＲＦ）よって決まる。ＰＲＦは、送信機によって１秒当たりに放射されるパルスの個数として定義される。ＰＲＦは、送信電力が固定されている場合のパルスの振幅を規定するため、このパラメータは重要である。
【００２６】
式（２）によって定義される変調方式に従えば、ＰＲＦ、シンボル持続時間、チップ持続時間、バースト毎のパルスの個数、及びＰＰＭの次数（PPM order）は、可能なホッピング位置の個数を規定する。たとえば、チップ持続時間ＴC及びバースト毎のパルスの個数Ｎburstが与えられたとすると、バースト持続時間は以下のように与えられる。
【００２７】
Ｔburst＝Ｎburst＊Ｔc
（４）
【００２８】
所与のシンボルレートＴsym及びバースト毎のパルスの個数Ｎburstに関しては、平均ＰＲＦを以下のように求めることができる。
【００２９】
ＰＲＦ＝Ｎburst／Ｔsym
（５）
【００３０】
ＰＰＭの次数、すなわちＰＰＭ位置の個数ＮPPMからも、パルスバーストを位置決めするのに利用可能な時間ホッピングスロットの個数を求めることができる。これは、以下のようにして求められる。
【００３１】
【数３】
2009523359.tif 000005
【００３２】
式（６）は、波形パラメータのうちのいずれを変更しても、本発明によるバーストホッピングに利用可能なスロットの個数に影響を与えることを示す。ＰＲＦは、送信機のクロック又は振幅の大きいパルスを生成する能力における制限に従って、所与のシンボル持続時間又はビットレートのために変更することができる。
【００３３】
ＰＲＦを変更するための別の理由は、送信信号を受信するために用いられている受信機のタイプによって決まる。たとえば、一般的に、ＰＲＦが低減され、より少ない個数で振幅がより大きいパルスが受信機に送信される場合、非コヒーレント受信機がより良い性能を有する。
【００３４】
したがって、送信機においてＰＲＦを動的に変化して、異なる種類の受信機に適応させることが望ましい。さらに、ハードウェアコストの制約の理由から、ＵＷＢ  ＩＲにおいて極性スクランブル系列及び時間ホッピング系列の両方を生成するために単一のＰＮ系列生成器を用いることが望ましい。
【００３５】
ＰＲＦの適応性及びひいてはバーストホッピングスロットの個数によって、ＰＮ系列生成器は、異なる長さ（たとえば４若しくは１６又は任意の他の整数値）を有する時間ホッピング系列の１つのセットをサポートし得るべきである。
【００３６】
図４は、本発明の一実施形態による送信機４００の一部を示す。送信機は、図３に示されるＰＰＭ／ＢＰＳＫを組み合わせた変調を用いる。
【００３７】
入力データ４０１は、順方向誤り符号(FEC)で符号化される（forward error code encoded）（４０２）。ＦＥＣ符号器４０２は、任意選択であり、本発明には必要ないことに留意されたい。ＦＥＣ符号器４０２は、図４のブロック図に含まれる。これは、ＦＥＣは、多くの場合に無線通信システムで用いられて、受信機における誤り訂正を提供するためである。
【００３８】
ＦＥＣ符号器４０２の出力４１０は、パルスバースト出力データ４４０のために、全体のバーストの極性４０３及び位置４０４の両方において変調される。ここで、バースト内の個々のパルスの極性は、現在の変調フォーマットに応じて、単一の信号生成器５００によって生成されるＰＮ系列に従ってスクランブルされる。
【００３９】
単一のＰＮ系列生成器５００は、ＰＲＦ４０９を受信し、極性４０３をスクランブルするための第１のＰＮ系列５０５を出力する。これらは、式（３）のｓjと等価である。バースト４４０を構成する個々のパルスの極性４０３は、ＰＮ系列生成器５００によって生成される第１のＰＮ系列５０５を符号化されたパルス４１０に加算すること（モジュロ２）（４２０）によってスクランブルされる。ＰＰＭ持続時間内におけるバースト４４０の位置４０４は、制御ロジック４５０を用いて第２のバーストホッピング系列５０７、すなわち時間ホッピング系列によって制御される。制御ロジックは、バースト生成器４０８をトリガし、バーストホッピング系列４０７の値に従って適切な時刻においてパルスバーストが生成される。
【００４０】
バースト生成器４０８は、ＰＮ系列及びＰＰＭスロットを用いて、シンボル持続時間内の適切な時刻においてパルスバースト出力データ４４０を生成する。
【００４１】
図５は、本発明の一実施形態による、単一の生成器からの、個数が動的に変化するバーストホッピングスロットを有する複数のＰＲＦ及び変調波形を使用可能にするＰＮ系列生成器５００の詳細を示す。
【００４２】
ＰＮ系列生成器５００は、線形フィードバックシフトレジスタ５０１を用いる。当該線形フィードバックシフトレジスタ５０１は、一連の（たとえば１５個の）遅延素子（Ｄ）５０２と、複数の第１のタップ５０３と、複数の第２のタップ５１０とを含む。シフトレジスタは、パルスバースト４４０のための極性スクランブル系列５０５及び時間ホッピング系列５０７の両方を生成する。
【００４３】
個々の遅延素子５０２の出力は、第１のタップ５０３が存在する場合は加算され（５０４）（たとえばモジュロ２）、シフトレジスタ５０１の入力にフィードバックされる（５０９）。第１のタップ５０３のみを用いるシフトレジスタの演算は、当該技術分野で既知の設計に基づく（Proakis, John G.著「Digital Communications」（Third edition, New York, McGraw Hill, 1995）を参照されたい）。最大長のＰＮ極性スクランブル系列を与えることができる、タップを記述する多項式も、Proakisによって記載されている。第１の系列５０５は、図４に示されるパルスバーストにおける極性４０３をスクランブルするために用いられる。
【００４４】
追加の第２のタップ５１０のセット及び２進数から整数への変換５１２を用いることによって、ＰＰＭのための時間ホッピング系列５０７は、同様にシフトレジスタ５０１から得ることができる。この場合、本発明では、最大長のバースト時間ホッピング系列を生成するためにいずれの遅延素子５０２が用いられるかに関しては特に関心を払わない。可能なバーストホッピング位置の個数が可変であることを可能にすることにより関心が払われる。この目的のために、長さＮのシフトレジスタの状態は、１〜２Nの任意の整数を表すことができることが理解される。つまり、シフトレジスタ５０１の状態の整数表現は、以下の式によって与えられる。
【００４５】
ｈ＝ｓj＋ｓj-1２1＋ｓj-2２2＋ｓj-3２3＋…＋ｓj-N２N
（７）
【００４６】
式中、ｓは各タップＮにおける状態を表す。
【００４７】
式（７）は、シフトレジスタの状態ｓjを用いて、パルスバーストのための、本発明による時間ホッピング系列５０７を生成することができることを示す。これは、十分な数としてＭ個のタップ５１０を用いることによって行われ、その結果、１〜２Mの範囲の数を生成することができる。Ｍは以下の式が成り立つように選択される。
【００４８】
２M≧Ｎslot                    （８）
【００４９】
ここで、バーストホッピングスロットＮslotの個数は、２の冪乗である必要はないことに注意する。この場合、シフトレジスタの或る特定の状態は、有効なバーストホッピングスロットインデックスに対応しない場合があり、打ち切りのようなさらなる処理が必要とされる場合がある。バイナリシフトレジスタ及び後続の処理にとっては、Ｎslotが２の冪乗であるように式（６）のパラメータが選択される場合の方がより自然である。この場合、Ｎslotは２Mによって表され、式（８）は以下の式になる。
【００５０】
２M＝Ｎslot
（９）
【００５１】
バーストホッピングスロットインデックスは、シフトレジスタ５０１のＮ個の可能な状態のうちのＭ個から求めることができる。これは、図（５）に示され、遅延素子５０２からの第２のタップ５１０は、タップ選択ブロック５１１への入力として設定される。タップ選択ブロック５１１は、たとえば、先頭からＭ個のタップ５１０を選択し、選択されたタップを２進数／整数変換ブロック５１２へ渡し、時間ホッピングインデックスを求める。一般的には、整数値への変換のために選択することができるタップの個数は、スロットの個数の関数である。一例として、４個の可能なホッピングスロットにわたるバーストホッピング系列を生成するためにはＭ＝２と設定し、１６個の可能なホッピングスロットにわたる系列を生成するためにはＭ＝４と設定する。
【００５２】
［発明の効果］
本発明の実施の形態は、単一のシフトレジスタから選択される複数の時間ホッピング系列及び極性スクランブル系列を有するＵＷＢ送信機を提供する。本発明は、ＩＥＥＥ８０２．１５．４ａ標準規格による変調フォーマットのために用いることができ、特に、シンボルが、短く狭い間隔で並んだパルスの系列によって表される、パルスのバーストのための時間ホッピングを用いる変調フォーマットのために用いることができる。パルスのバーストがシンボル毎に時間ホッピングされ、これは、個々のパルスが時間ホッピングされる従来のインパルス無線と対照的である。
【００５３】
可能な変調パラメータオプションとして複数の異なるものがあることに起因して、可能なバーストホッピングスロットの個数は、異なる変調オプションに応じて変化する。たとえば、幾つかのオプションでは、バーストのための４個の位置が許容されるが、他のオプションでは、１６個の可能な位置が許容される。
【００５４】
１つの利点として、単一のシフトレジスタが、変調パラメータに従って、４のサイズ又は１６のサイズの時間ホッピング系列を、同じ生成器から生成することができる。さらに、シフトレジスタは、パルスのバーストの極性を変調する系列を生成するために用いることもできる。
【００５５】
本発明を好ましい実施形態の例として説明したが、様々な他の適応及び変更を、本発明の精神及び範囲内で行うことができることを理解されたい。したがって、添付の特許請求の範囲の目的は、本発明の真の精神及び範囲内にあるような変形及び変更の全てを包含することである。
【図面の簡単な説明】
【００５６】
【図１】従来技術の変調技法のタイミング図である。
【図２】従来技術のＴＨ−ＩＲ変調のタイミング図である。
【図３】従来技術のバーストホッピングＩＲ変調のタイミング図である。
【図４】本発明の一実施形態による送信機構造のブロック図である。
【図５】図４の送信機のためのＰＮ系列生成器の図である。
【図１】
2009523359.tif 000006
【図２】
2009523359.tif 000007
【図３】
2009523359.tif 000008
【図４】
2009523359.tif 000009
【図５】
2009523359.tif 000010
【国際調査報告】
2009523359.tif 000011
2009523359.tif 000012